(57)【要約】      （修正有）【課題】注入時に洗浄液の流れを良くすることができるウオッシャ装置を提供する。【解決手段】ウオッシャ液を貯留するウオッシャタンク１１と、ウオッシャタンク１１に連結されウオッシャ液の注入路を形成するウオッシャホース２０とを備えたウオッシャ装置において、ウオッシャホース２０の本体２１の筒壁に、略半円形の溝形状に形成され、十字形状に配置されて周方向に捩じられた螺旋形状に形成されている４条の螺旋流路２２、２２、２２、２２を、多条ねじのように敷設する。ウオッシャ液の注入時に、ウオッシャ液は４条の螺旋流路２２、２２、２２、２２によって渦流となって中心部に空洞を形成することで、ウオッシャホース２０内を流れるウオッシャ液と、ウオッシャホース２０内を通して排気すべきウオッシャタンク１１内の空気とが干渉する現象を防止できるので、ウオッシャ液をウオッシャタンク１１に迅速かつ適正に注入することができる。【選択図】図１
2010058542.tif 000002
【特許請求の範囲】
【請求項１】
ウオッシャ液を貯留するウオッシャタンクと、該ウオッシャタンクに連結され前記ウオッシャ液の注入路を形成するウオッシャホースと、を備えたウオッシャ装置において、
前記ウオッシャホースが螺旋形状の流路を複数備えていることを特徴とするウオッシャ装置。
【請求項２】
前記ウオッシャタンクと前記ウオッシャホースとの連結部に螺旋形状の流路が設けられていることを特徴とする請求項１に記載のウオッシャ装置。
【請求項３】
ウオッシャ液を貯留するウオッシャタンクと、該ウオッシャタンクに連結され前記ウオッシャ液の注入路を形成するウオッシャホースと、を備えたウオッシャ装置において、
前記ウオッシャホースの注入口内周に螺旋形状の流路が設けられていることを特徴とするウオッシャ装置。
【発明の詳細な説明】
【技術分野】
【０００１】
本発明は、ウオッシャ装置に関し、例えば、自動車のウインドシールドガラスを洗浄するのに利用して有効なものに関する。
【背景技術】
【０００２】
自動車にはウインドシールドガラスを洗浄するウオッシャ装置が搭載されている。
一般に、ウオッシャ装置はウオッシャ液を貯留するウオッシャタンクと、ウオッシャタンクに連結されウオッシャ液の注入路を形成するウオッシャホースと、ウオッシャタンク内のウオッシャ液をノズルに送出するウオッシャポンプと、ウオッシャポンプとノズルとに連結されウオッシャ液の流路を形成するチューブと、ウインドシールドガラスへ向けて取り付けられるノズルと、を備えている。
【０００３】
従来のこの種のウオッシャ装置におけるウオッシャホースは、狭いエンジンルームに配管するために、細長く彎曲した形状に形成されている。例えば、特許文献１参照。
【特許文献１】特開平５−２６６８９号公報
【発明の開示】
【発明が解決しようとする課題】
【０００４】
しかしながら、従来のウオッシャ装置におけるウオッシャホースには、洗浄液の注入の際に、洗浄液の流れが悪く、注入に時間がかかったり、洗浄液が溢れたりするという問題点がある。この原因は、次のように考えられる。
（１）ウオッシャホースが細長いことにより、流路抵抗が大きい。
（２）ウオッシャホースの屈曲部において流路が狭くなるために、洗浄液と空気とが混ざって気泡を生成し、流れの抵抗が増大してしまう。
【０００５】
本発明の目的は、洗浄液の注入の際の流れを良くすることができるウオッシャ装置を提供することにある。
【課題を解決するための手段】
【０００６】
前記した課題を解決するための手段のうち代表的なものは、次の通りである。
（１）ウオッシャ液を貯留するウオッシャタンクと、該ウオッシャタンクに連結され前記ウオッシャ液の注入路を形成するウオッシャホースと、を備えたウオッシャ装置において、
前記ウオッシャホースが螺旋形状の流路を複数備えていることを特徴とするウオッシャ装置。
（２）前記ウオッシャタンクと前記ウオッシャホースとの連結部に螺旋形状の流路が設けられていることを特徴とする前記（１）に記載のウオッシャ装置。
（３）ウオッシャ液を貯留するウオッシャタンクと、該ウオッシャタンクに連結され前記ウオッシャ液の注入路を形成するウオッシャホースと、を備えたウオッシャ装置において、
前記ウオッシャホースの注入口内周に螺旋形状の流路が設けられていることを特徴とするウオッシャ装置。
【発明の効果】
【０００７】
前記ウオッシャ装置によれば、洗浄液の注入時の流れを良くすることができる。
【発明を実施するための最良の形態】
【０００８】
以下、本発明の一実施の形態を図面に即して説明する。
【０００９】
本実施の形態において、本発明に係るウオッシャ装置は、自動車のウオッシャ装置に適用するのに好適なものとして構成されている。
【００１０】
図１に示されているように、本実施の形態に係るウオッシャ装置１０は、ウオッシャ液を貯留するウオッシャタンク１１を備えている。
ウオッシャタンク１１は樹脂が使用されて略直方体形状の中空体に一体成形されている。ウオッシャタンク１１の一つの側壁下端部にはウオッシャポンプ設置部１２が、内側に窪むように没設されており、ウオッシャポンプ設置部１２にはウオッシャポンプ１３が設置されている。ウオッシャタンク１１の上面壁には連結部１４が形成されており、連結部１４にはウオッシャ液の注入路を形成するウオッシャホース２０が連結されている。
【００１１】
ウオッシャホース２０は本体２１を備えており、本体２１は樹脂が使用されて両端が開口した細長い円筒形状に形成されている。本体２１の筒壁には螺旋（スクリュウ）形状の流路（以下、螺旋流路という）２２が４条一体的に形成されている。
図２に示されているように、４条の螺旋流路２２、２２、２２、２２のそれぞれは略半円形の溝形状に形成されており、中心線が直交した状態の十字形状にそれぞれ配置されているとともに、周方向に捩じられて螺旋（スクリュウ）形状にそれぞれ敷設されている。すなわち、４条の螺旋流路２２、２２、２２、２２は多条ねじのように形成されている。
【００１２】
図１および図２（ｃ）に示されているように、ウオッシャホース２０の本体２１の一端部にはホース側連結部２３が円筒形状に形成されており、ホース側連結部２３はタンク側の連結部１４に挿入されて固定的に連結されている。
【００１３】
図１に示されているように、ウオッシャホース２０の本体２１の他端部には注入口部２４が円筒形状に形成されており、注入口部２４の内周によって注入口２５が形成されている。注入口部２４には注入口２５を開閉するキャップ２６が取り付けられている。
【００１４】
以上の構成に係るウオッシャ装置のウオッシャ液の注入時における作用を説明する。
【００１５】
ウオッシャタンク１１へのウオッシャ液の注入時には、ウオッシャホース２０の注入口２５がキャップ２６によって開けられ、ウオッシャ液が注入口２５に注入される。注入口２５に注入されたウオッシャ液は、ウオッシャホース２０の本体２１内を流れてウオッシャタンク１１内に流入する。
ウオッシャホース２０の本体２１内を流れる際に、ウオッシャ液は４条の螺旋流路２２、２２、２２、２２を流れることによって回転運動を発生し渦流を引き起こす。渦流となったウオッシャ液は４条の螺旋流路２２、２２、２２、２２を伝うようにして中心部に空洞を形成しながら、ウオッシャタンク１１内に流入する。
ウオッシャタンク１１内の空気がウオッシャホース２０の中心部に形成された空洞を通って排気されることにより、排気がウオッシャホース２０の内周面に沿って流れるウオッシャ液に干渉することがないので、気泡が発生するのを防止することができる。
したがって、ウオッシャホース２０内を流れるウオッシャ液と、ウオッシャホース２０内を通して排気すべきウオッシャタンク１１内の空気とは互いに干渉することなくスムーズに流れるので、ウオッシャ液はウオッシャタンク１１に迅速に注入して行く。
【００１６】
前記実施の形態によれば、次の効果が得られる。
【００１７】
1)  ウオッシャホース内を流れるウオッシャ液とウオッシャタンクからの排気との干渉を防止することにより、ウオッシャ液をウオッシャタンク内に迅速に注入することができるので、ウオッシャ液の注入時間を短縮することができる。
【００１８】
2)  ウオッシャ液の注入時にウオッシャ液が注入口から溢れるのを防止することができるので、溢れるのを見た注入者が満杯になったと誤認するのを回避することができる。
【００１９】
3)  注入性能を同程度とすれば、ウオッシャホースを小型化することができるので、狭いエンジンルーム等であっても、ウオッシャ装置を容易に設置することができる。
【００２０】
4)  なお、図２（ｄ）に示されているように、４条の螺旋流路２２、２２、２２、２２が形成された本体２１の下端部をウオッシャタンク１１の連結部１２に直接的に挿入すると、ウオッシャ液は４条の螺旋流路２２、２２、２２、２２を伝って渦流のままウオッシャタンク１１内に流入する状態になるので、前述した作用および効果をより一層高めることができる。
【００２１】
図３は本発明の第二実施形態であるウオッシャ装置を示している。
本実施の形態が前記実施形態と異なる点は、ウオッシャホース２０が円筒形状に形成された本体２１Ａを備えており、４条の螺旋流路２２、２２、２２、２２がウオッシャホース２０の注入口２５内周に設けられている点である。
本実施の形態においては、ウオッシャ液の注入時に、ウオッシャ液は注入口２５の４条の螺旋流路２２、２２、２２、２２を流れることによって回転運動を発生し渦流を引き起こすことにより、中心部に空洞を形成するので、ウオッシャホース２０内を流れるウオッシャ液と、ウオッシャホース２０内を通して排気すべきウオッシャタンク１１内の空気とは互いに干渉する現象を防止することができる。
つまり、本実施形態においても、前記実施形態と同様に、ウオッシャ液をウオッシャタンク１１に迅速かつ適正に注入することができる。
【００２２】
なお、本発明は前記実施の形態に限定されるものではなく、その要旨を逸脱しない範囲で種々に変更が可能であることはいうまでもない。
【００２３】
例えば、螺旋流路は４条設けるに限らず、２または３または５以上設けてもよい。
【００２４】
また、螺旋流路は略半円形の溝形状に形成するに限らず、三角形または四角形のような多角形の溝形状に形成してもよい。要するに、螺旋流路は渦流によって中心部に空洞を形成し易い形状に構成すればよい。
【００２５】
前記実施の形態においては、自動車に搭載されるウオッシャ装置について説明したが、本発明は鉄道車両のようなその他の車両や窓ガラスの払拭に使用されるウオッシャ装置全般に適用することができる。
【図面の簡単な説明】
【００２６】
【図１】本発明の一実施の形態であるウオッシャ装置を示しており、（ａ）は正面図、（ｂ）は側面図である。
【図２】（ａ）は図１（ａ）のａ−ａ線に沿う断面図、（ｂ）は図１（ａ）のｂ−ｂ線に沿う断面図、（ｃ）は図１（ａ）のｃ−ｃ線に沿う断面図である。（ｄ）は変形例を示しており、ｃ−ｃ線に沿う断面図に相当する断面図である。
【図３】本発明の第二実施形態であるウオッシャ装置を示しており、（ａ）は正面図、（ｂ）は側面図、（ｃ）は（ｂ）のｃ−ｃ線に沿う断面図である。
【符号の説明】
【００２７】
１０…ウオッシャ装置、１１…ウオッシャタンク、１２…ウオッシャポンプ設置部、１３…ウオッシャポンプ、１４…連結部、
２０…ウオッシャホース、２１…本体、２２…螺旋流路、２３…ホース側連結部、２４…注入口部、２５…注入口、２６…キャップ、
２１Ａ…円筒形状に形成された本体。
【図１】
2010058542.tif 000003
【図２】
2010058542.tif 000004
【図３】
2010058542.tif 000005